(57)【要約】【課題】  地震時の垂れ壁や腰壁や袖壁などの非構造壁による柱や梁などの構造骨組みの剪断破壊や脆性破壊を防止し、耐火性、圧縮性（変形可能巾、変形復帰性）、層間変形・水密性を確保し、取り付けに際する補強材や固定金物を必要としなく、施工性と品質の良い耐震スリット材を提供する。【解決手段】目地型枠でスリット部を設け、このスリット部にスリット材を挿入して耐震スリットとすることで、コンクリートに打ち込む際に必要な補強材や固定金物を使用せずに、スリット材の要求性能を耐火性、圧縮性（変形可能巾、変形復帰性）、層間変形・水密性に絞り込み、この要求性能を耐火性と圧縮性（変形可能巾、変形復帰性）を確保するシリコンゴムと層間変形・水密性を確保する弾性シーリング材との組合せとすることで、施工性と品質の良い後施工耐震スリット材を提供することを目的とする。【選択図】図２
2016216954.tif 000002
【特許請求の範囲】
【請求項１】
断面略環状形の弾性耐火材（１）と該弾性耐火材（１）の一端に断面矩形の突条（２）を設け、これをスリット部（３）に取り付ける時、該弾性耐火材（１）をスリット巾に窄めて挿入し、突条（２）とスリット面（６）との間の該弾性耐火材（１）にボンドブレーカー（７）を取り付け、次いで弾性シーリング材（８）を充填することを特徴とする耐震スリット材（１０）。
【発明の詳細な説明】
【技術分野】
【０００１】
コンクリート造の建築物の垂れ壁や腰壁や袖壁などの非構造壁と柱や梁などの構造骨組みとの間に設けられ、地震時の非構造壁による構造骨組の剪断破壊や脆性破壊を防止するために設けられる耐震スリット材に関する。
【背景技術】
【０００２】
耐震スリットは、腰壁や袖壁や垂壁などの非構造壁と柱や梁などの構造骨組みとの接合部に設けられ、地震時の非構造壁による構造骨組みの剪断破壊や脆性破壊を防止するために、設けられるもので巾は１／１００の層間変形角に追従可能な寸法を確保するため、通常２５ｍｍ〜７０ｍｍで、コンクリートの壁に、この巾の狭いスリット部を設けることが難しく、そのため従来の耐震スリット材は型枠組み立て時にスリット材を型枠に取り付けてコンクリートに打ち込んで取り付けている。そのため、耐震スリット材に求められる要求性能である耐火性、圧縮性（変形可能巾、変形復帰性）、層間変形・水密性に加えて、コンクリートの打設時の側圧に耐える強度が必要となり、この強度と相反する圧縮性（変形可能巾、変形復帰性）の性能とを同時に確保し、さらに固定するための金物や真直ぐ取り付けるための補強材が必要となり、そのため高価なものになり、その上取り付けに手間が掛かり、スリット材が曲がって取り付くなど施工管理が難しい物で、また止水の為シーリングを施すが、シーリングの巾が２５ｍｍを超えると見栄えも悪い上にシーリングの施工管理が難しく、品質の確保も難しい。この耐震スリットの材料や構造などが多数提案されている。
【０００３】
壁の全断面を縁切りする場合の耐震スリットの提案の１例として、実願昭５６−１３８１６９号開示の構造物の耐震構造は、長尺状の弾性スリット本体の長片側両端縁に沿って係合する凹溝を有する支持片と、前記弾性スリット本体の短片方向に向って両側面近傍に配置する数本の支持ボルトで固定することを特徴とする構造用スリット材である。
【０００４】
実願平１−６７７２８号開示のコンクリート壁体のスリット目地材はポリエチレン独立発泡体あるいはグラスウールなどの目地材の１側面にその側面の長手方向に沿って少なくとも一本の鉤形の係合溝部を一体的に形成した基板を添設し、一端に係合片を設けると共に腕部の所要間隔位置にセパレータ取り付け孔を形成した支持体を、前記基板の鉤形の係合溝部に沿って着脱可能に係合してなるものである。
【０００５】
特願平９−２１３０１６号開示の貫通スリット形成部材はスリット材を第１スリットと第２スリットとし、夫々がさらに接近し得る動作範囲を残した状態で、セパレータを挿通させ、貫通スリットの厚み方向に移動不可能な状態としつつ型枠に仮固定し、コンクリート硬化後セパレータを除去した後には、地震等の外力が加わった際には相対移動可能である貫通スリット形成部材である。
【０００６】
特許第３８９２７９３号開示の目地用のシーリングバックアップ材は耐震スリット材では無いが、建物外壁の目地に耐火材と併用して装着されるシール用のシーリング材のバックアップ材である。
【特許文献１】実願昭５６−１３８１６９号
【特許文献２】実願平１−６７７２８号
【特許文献３】特願平９−２１３０１６号
【特許文献４】特許第３８９２７９３号
【発明の開示】
【発明が解決しようとする課題】
【０００７】
耐震スリット材には、耐火性と圧縮性（変形可能巾、変形復帰性）と層間変形・水密性が求められ、しかもコンクリートの打設時の側圧に耐える強度がなければならない。ポリエチレン独立発泡体あるいはグラスウールなどを目地材として使用されているものにあっては、コンクリートの打設時の側圧に耐える強度を得るためスリット本体に係合する支持片と両側面近傍に配置した支持ボルトで支持固定しなければならず、また支持片とコンクリートの間からの漏水の恐れがある。
【０００８】
スリット目地材をポリエチレン独立発泡体あるいはグラスウールなどの目地材とし、１側面にその側面の長手方向に沿って少なくとも一本の鉤形の係合溝部を一体的に形成した基板を添設したものにあっては、基板に係合した支持体をセパレータに取り付けて固定するが、型枠の内側に取り付ける目地棒と目地材の位置合わせが難しく、取り付けに手間が掛かり、また目地材の強度を確保するための基板を添接し、固定のための支持体を設ける構成なので、スリット材が高価なものになり、取り付けに手間がかかるものとなった。
【０００９】
スリット材を第１スリットと第２スリットとし、夫々がさらに接近し得る動作範囲を残した状態で、セパレータを挿通させるものにあっては、スリット材をセパレータに固定するため、第１スリットと第２スリットに設けた夫々の挿通孔と型枠に取り付けたセパレータの位置合わせをしなければならず、また返しの型枠を組み立てる際には、見えない状態での位置合わせとなり、取り付けに手間の掛かり、またスリット材が二つの部材の組合せなので高価なものになる。
【００１０】
目地に耐火材と併用して装着されるシーリングのバックアップ材にあっては、耐震スリット材では無いので、スリット材の要求性能である圧縮性（変形可能巾、変形復帰性）と層間変形・水密性に対する考慮がなされて無く、又巾の広いスリット部に対するシーリングの性能確保に対する配慮が無く、シーリングバックアップ材の位置決めが難しいという問題がある。
【００１１】
以上、鑑みて本発明は、上記目的を達成するため、本願出願人の発明にかかる特許第３２５２５７１号のペーパコアパネル製の目地型枠でスリット部を設け、このスリット部にスリット材を挿入して耐震スリットとすることで、スリット材の要求性能を耐火性、圧縮性（変形可能巾、変形復帰性）、層間変形・水密性に絞り込み、しかもコンクリートに打ち込む際に必要な補強材や固定金物を必要としなく、施工性と品質の良い耐震スリット材を提供することを目的とするもので、本発明は出願人の発明にかかる登録第４４７６６７９号の後施工耐震スリット材及び特願２００９−２１２６３号の耐震スリット材の改良発明である。
【課題を解決するための手段】
【００１２】
断面略環状形の弾性耐火材１と該弾性耐火材１の一端に断面矩形の突条２を設け、これをスリット部３に取り付ける時、該弾性耐火材１をスリット巾に窄めて挿入し、突条２とスリット面６との間の該弾性耐火材１にボンドブレーカー７を取り付け、次いで弾性シーリング材８を充填することを特徴とする耐震スリット材１０である。
【発明の効果】
【００１３】
目地型枠でスリット部３を設け、該スリット部３に耐震スリット材１０を挿入して耐震スリットとすることで、所謂後施工の耐震スリット材とすることで、スリット材の要求性能を耐火性、圧縮性（変形可能巾、変形復帰性）、層間変形・水密性に絞り込み、しかもコンクリートに打ち込む際に必要な補強材や固定金物を必要としない耐震スリット材とすることができる効果がある。
【００１４】
耐震スリット材１０は耐火性と圧縮性（変形可能巾、変形復帰性）を有する弾性耐火材１と層間変形・水密性を確保する弾性シーリング材８との組合せとすることで、構成する部材が補完して無駄の無い耐震スリット材１０とすることができる効果がある。
【００１５】
突条２はスリット部３の巾の中央に位置して弾性シーリング材８の充填部を形成し、突条２を設けてシーリングの巾を二つに分けることにより、シーリングの巾を小さくすることができ、深さも小さくできる効果がある。
【００１６】
シーリング材は目地深さが浅すぎると接着面積の不足による剥離が生じたり、表層からの劣化による破断に至る危険があり、また深すぎるとシーリング材の種類によっては硬化阻害や硬化遅延などの発生が予想されるが、目地の巾と深さを突条２の長さと先端面４の巾で設定し、シーリングの最適巾と深さを設定できる効果がある。ボンドブレーカー７はシーリング材と構成部材との接着を部材相互の２面接着とし、３面接着を防止するテープである。
【００１７】
突条２はスリット部３に耐震スリット材１０を挿入して取り付けるとき、突条２を挟持して取り付けることができるので、耐震スリット材１０の取り付けが容易で、しかも出入りや位置決めも簡単に、かつ正確に出来る効果がある。
【００１８】
弾性耐火材１は耐震スリット材の要求性能である耐火性と圧縮性（変形可能巾、変形復帰性）に優れたシリコンゴムを選定し、突条２は弾性シーリング材８の充填部を形成するので、直接外気に接して紫外線の影響を受けるので、形状を維持する硬さと耐候性と耐火性に優れたシリコンゴム選定し、圧縮性（変形可能巾、変形復帰性）は不要である。この異なった要求性能を２層押し出しで成型することにより、それぞれの部位の要求性能にあった特性を有する耐震スリット材１０を形成することが出来る効果がある。
【００１９】
弾性耐火材１はスリット部３に窄めて取り付けるので、常時変形させる力を受けるが断面略環状形の弾性耐火材１にブリッジ９を設けることにより、該ブリッジ９が突っ張り材と引っ張り材として働き、弾性耐火材１の要求性能である圧縮性（変形可能巾、変形復帰性）を調整することができる効果がある。
【発明を実施するための最良の形態】
【００２０】
スリット部３を設ける目地型枠は、ペーパコアの両面に板紙などの表面板が接着されており、ペーパコア及び表面板には所定時間中防水性を持続する防水剤が塗布されており、周側面には粘着ビニールテープ等の取り外し部材が貼着されたものである。この目地型枠を所定のスリット部に取り付けて型枠を組み立て、コンクリート打設後、コンクリートの養生期間をおいて目地型枠を取り外す。目地型枠の取り外しに際しては、ペーパコア及び表面板はコンクリートの余剰水を吸水して、ある程度軟弱になっており、容易に取り外しが出来る。
【００２１】
目地型枠で設けたスリット部３に耐震スリット材１０を挿入して耐震スリットとすることで、コンクリートに打ち込む際に必要な補強材や固定金物を使用せずに取り付けができ、耐震スリット材１０を耐火性と圧縮性（変形可能巾、変形復帰性）を有する弾性耐火材１と層間変形・水密性を確保する弾性シーリング材８との組合せとする。
【００２２】
耐震スリットの巾は１／１００の層間変形角に追従可能な寸法を確保するので、壁の長さで決まり通常２５ｍｍ〜７０ｍｍでこの巾がシーリングの巾となる。従来、シーリングの巾の変動に伴う接着部への応力集中を防止するため、シーリングの巾（Ｗ）とシーリングの深さ（Ｄ）の関係をＤ／Ｗ＝１／１〜１／２が推奨されている。深さ（Ｄ）を大きくすると止水性能が高くなるが巾（Ｗ）も大きくしなければならない。又シーリングの巾が２５ｍｍを超えると見栄えが悪いだけでなく、シーリングの断面が大きくなるとシーリングの打継ぎなどの施工管理や品質管理が難しくなる。
【００２３】
耐震スリット材１０の巾は施工部位の壁の長さで決まり、壁の長さの１/１００の巾を確保してスリット巾を設定し、この巾を一辺の長さとし、壁の中心に配設されるアンカー筋に耐震スリット材１０が当たらないように、壁の厚さの半分より小さい断面の長尺物とする。
【００２４】
弾性耐火材１は耐火性と圧縮性（変形可能巾、変形復帰性）に優れたシリコンゴムを選定し、突条２は弾性シーリング材８の充填部を形成し、直接外気に接して紫外線の影響を受けるので、形状を維持する硬さと耐候性と耐火性に優れたシリコンゴム選定し、圧縮性（変形可能巾、変形復帰性）は不要である。弾性耐火材１に適するシリコンゴムの比重は０．３〜０．４で、突条２に適するシリコンゴムの比重は０．７〜０．８である。この異なったシリコンゴムを２層押し出しで成型することにより、それぞれの部位の要求性能にあった特性を有する弾性スリット材１０を形成する。
【００２５】
突条２はスリット部３の巾の中央に位置して弾性シーリング材８の充填部を形成し、スリット部３の巾に対応して突条２長さと先端面４の巾を変えてシーリングの最適深さを確保して巾の狭いシーリングを設けるもので図２、図４はスリット部３に後施工耐震スリット材１０を取り付けた状態である。
【００２６】
ブリッジ９は弾性耐火材１の断面略環状形の内側に設け、突っ張り材と引っ張り材として働き、弾性耐火材１の圧縮性（変形可能巾、変形復帰性）を調整する。図３、図４に示す弾性耐火材１は断面略環状形の弾性耐火材を並列にしてブリッジ９を設ける場合である。
【００２７】
耐震スリット材１０の取り付けは、突条２を挟持して弾性耐火材１を窄めてスリット部３に挿入し、突条２の先端面４が壁面５と同面になるように出這入りを調整して取り付ける。次いで突条２とスリット面６との間の該弾性耐火材１にボンドブレーカー７を取り付け、次いで弾性シーリング材８を充填する。
【００２８】
弾性シーリング材８は耐震スリット材１０に求められる要求性能の層間変形・水密性を確保するためのもので、突条２の先端面４が壁面５と同面になるように取り付けて、突条２とスリット面６の間にできる凹所に充填する。材料としてシリコン系シーリングが適している。
【実施例１】
【００２９】
実施例１を図１、図２の図面で説明する。図１は実施例１の耐震スリット材１０の分解断面図で、図２は同上耐震スリット材１０の取り付け状態を示す断面図である。壁の厚さが１７０ｍｍでアンカー筋はＤ１０で間隔が４００ｍｍであり、スリット部３の巾が５０ｍｍである。目地型枠の取り付けは、柱の型枠が組み立てられた後、厚さ５０ｍｍの目地型枠を柱の型枠に添えて取り付け、該目地型枠にＤ１０のアンカー筋を４００ｍｍ間隔で壁厚の中央の位置に差し込んで取り付ける。次いで目地型枠を挟んで壁型枠を組み立て、壁鉄筋を組み立て、定法に従ってコンクリートを打設し、コンクリートの養生期間をおいて、型枠を撤去し、目地型枠を取り外す。目地型枠の取り外した後に巾５０ｍｍのスリット部３が設けられる。
【００３０】
耐震スリット材１０の取り付けは、目地型枠の取り外した後のスリット部３に、突条２を挟持して弾性耐火材１をスリット部の巾に窄めてスリット部３に挿入し、突条２の先端面４が壁面５と同面になるように出這入りを調整して取り付ける。次いで、突条２とスリット面６の間の弾性耐火材１にボンドブレーカー７を取り付け、突条２と壁面５との間に弾性シーリング材８を充填して施工が完了する。この場合のスリット部３の巾は５０ｍｍで、突条２の先端面４の巾は１２ｍｍなので、先端面４の両側のシーリングの巾は夫々１９ｍｍとなる。シーリングの深さはボンドブレーカーと合わせて突条２の長さ２５ｍｍである。耐震スリット材１０の接続部と端末の取り合い部に巾１５ｍｍの目地を設けシーリングをする。
【実施例２】
【００３１】
実施例２を図３、図４の図面で説明する。図３は実施例２の耐震スリット材１０の分解断面図で、図３は同上耐震スリット材１０の取り付け状態を示す断面図である。壁の厚さが１７０ｍｍでアンカー筋はＤ１０で間隔が４００ｍｍであり、スリット部３の巾が７０ｍｍである。目地型枠の取り付けは、柱の型枠が組み立てられた後、厚さ７０ｍｍの目地型枠を柱の型枠に添えて取り付け、該目地型枠にＤ１０のアンカー筋を４００ｍｍ間隔で壁厚の中央の位置に差し込んで取り付ける。次いで目地型枠を挟んで壁型枠を組み立て、壁鉄筋を組み立て、定法に従ってコンクリートを打設し、コンクリートの養生期間をおいて、型枠を撤去し、目地型枠を取り外す。目地型枠の取り外した後に巾７０ｍｍのスリット部３が設けられる。
【００３２】
この場合の耐震スリット材１０は断面略環状形の弾性耐火材を並列に配置してブリッジ９を設けて弾性耐火材１とし、該弾性耐火材１の一端に断面矩形の突条２を設けた構成である。取り付けは、実施例１と同様で、目地型枠の取り外した後のスリット部３に、突条２を挟持して弾性耐火材１をスリット部の巾に窄めてスリット部３に挿入し、突条２の先端面４が壁面５と同面になるように出這入りを調整して取り付ける。次いで、突条２とスリット面６の間の弾性耐火材１にボンドブレーカー７を取り付け、突条２と壁面５との間に弾性シーリング材８を充填して施工が完了する。この場合のスリット部３の巾は７０ｍｍで、突条２の先端面４の巾は２４ｍｍなので、先端面４の両側のシーリングの巾は夫々２３ｍｍとなる。シーリングの深さはボンドブレーカーと合わせて突条２の長さ２５ｍｍである。耐震スリット材１０の接続部と端末の取り合い部に巾１５ｍｍの目地を設けシーリングをする。
【産業上の利用可能性】
【００３３】
既存建築物の耐震補強工事で耐震スリットを設ける場合、コンクリートカッターでスリットを設けたスリット部に適用できる。
【図面の簡単な説明】
【００３４】
【図１】耐震スリット材の分解断面図である。
【図２】同上耐震スリット材の取り付け状態を示す断面図である。
【図３】別の耐震スリット材の分解断面図である。
【図４】同上の耐震スリット材の取り付け状態を示す断面図である。
【符号の説明】
【００３５】
１    弾性耐火材
２    突条
３    スリット部
４    先端面
５    壁面
６    スリット面
７    ボンドブレーカー
８    弾性シーリング材
９    ブリッジ
１０    耐震スリット材
【図１】
2016216954.tif 000003
【図２】
2016216954.tif 000004
【図３】
2016216954.tif 000005
【図４】
2016216954.tif 000006